(57)【要約】【課題】従来よりも、簡単な構造で、端子台の水対策を行うことができる照明装置を提供する。【解決手段】照明装置Ａは、支柱Ｂに取り付けられて使用され、光源ユニットと、光源ユニットを点灯させる回路ユニット２と、回路ユニット２と支柱Ｂから延出する電気ケーブルとを接続する端子台３と、光源ユニットと回路ユニット２と端子台３とを収容する筐体４とを備え、筐体４は、光源ユニットを収容する防水構造の光源ユニット収容部と、回路ユニット２を収容する防水構造の回路ユニット収容部４３と、支柱Ｂに取り付けられる取付部４５とを有し、端子台３は回路ユニット収容部４３に収容されている。【選択図】図３
2019125508.tif 000002
【特許請求の範囲】
【請求項１】
支柱に取り付けられて使用する照明装置において、
光源ユニットと、
前記光源ユニットを点灯させる回路ユニットと、
前記回路ユニットと前記支柱から延出する電気ケーブルとを接続する端子台と、
前記光源ユニットと前記回路ユニットと前記端子台とを収容する筐体とを備え、
前記筐体は、前記光源ユニットを収容する防水構造の光源ユニット収容部と、前記回路ユニットを収容する防水構造の回路ユニット収容部と、前記支柱に取り付けられる取付部とを有し、
前記端子台は前記回路ユニット収容部に収容されている
照明装置。
【請求項２】
前記筐体は、板状部と表側に膨出する膨出部とを第１方向に沿って有する筐体本体と、前記膨出部の裏側を開閉可能に覆う蓋体とを備え、
前記膨出部と前記蓋体とで形成される空間に、前記回路ユニット収容部と前記取付部とが設けられ、
前記空間内は、前記膨出部の裏面から裏側に筒状に延伸する筒部分により、前記回路ユニット収容部と前記取付部とが区画されている
請求項１に記載の照明装置。
【請求項３】
前記筐体は、前記蓋体が前記膨出部を覆うと、前記回路ユニット収容部内を水密状とするパッキンを備える
請求項２に記載の照明装置。
【請求項４】
前記筐体本体は、前記第１方向における前記板状部と反対側に前記取付部を有し、
前記支柱を固定する固定具が前記取付部に着脱可能に設けられている
請求項３に記載の照明装置。
【請求項５】
前記筒部分における前記取付部側に位置する壁部分の貫通孔に、前記電気ケーブルを前記回路ユニット収容部に水密状に導入し且つ当該電気ケーブルを拘束する拘束具が設けられている
請求項４に記載の照明装置。
【請求項６】
前記拘束具がケーブルグランドである
請求項５に記載の照明装置。
【請求項７】
前記蓋体は、前記筐体本体における前記第１方向の略中央に設けられた軸廻りに回転可能に設けられ、
前記軸は前記第１方向と直交する方向であって前記板状部に沿う第２方向に延伸する
請求項６に記載の照明装置。
【発明の詳細な説明】
【技術分野】
【０００１】
本発明は、支柱に取り付けられて使用される照明装置に関する。
【背景技術】
【０００２】
従来、支柱に取り付けられる照明装置の例として、例えば道路等の被照射面に張り出して設置される照明器具が提案されている（例えば、特許文献１）。
特許文献１に記載の照明器具では、「支柱に取り付けるためのクランプ部を有し、底部に前記支柱を通す開口を設けた取付部と、光源を収容する防水構造の光源収容部とを一体に備え、前記取付部の内側の前記クランプ部近傍に、前記支柱の中を通って先端から延出して配線される電源ケーブルを結線する端子台を備え、前記取付部には、前記クランプ部及び前記端子台の上側を覆い、前記光源収容部の上側のカバーに係合する蓋体が開閉自在に設けられていることを特徴とし（請求項１）、前記光源がＬＥＤであり、当該ＬＥＤとともに前記ＬＥＤの点灯を制御するＬＥＤドライバユニットが前記光源収容部に収められ、前記光源収容部のＬＥＤドライバユニットから延びた配線が前記取付部及び前記光源収容部を仕切る隔壁を水密に貫通して前記端子台に結線され、前記光源収容部が前記隔壁、及び上側の前記カバーで封じられて水密にされている」とされている。なお、特許文献１の照明器具は、本発明の照明装置に相当する。
【先行技術文献】
【特許文献】
【０００３】
【特許文献１】特許第５５０５１８６号公報
【発明の概要】
【発明が解決しようとする課題】
【０００４】
特許文献１に開示された照明器具は、ＬＥＤドライバユニットは防水構造の光源収容部に収容されているが、端子台は、開閉自在な蓋体により覆われる取付部に設けられている。このため、取付部側の水対策（請求項２や請求項３参照）が必要となり、構造が複雑となる傾向にある。
【０００５】
本発明は以上のような従来の課題を考慮してなされたものであり、従来よりも、簡単な構造で、端子台の水対策を行うことができる照明装置を提供することを目的とする。
【課題を解決するための手段】
【０００６】
本発明に係る照明装置は、支柱に取り付けられて使用する照明装置において、光源ユニットと、前記光源ユニットを点灯させる回路ユニットと、前記回路ユニットと前記支柱から延出する電気ケーブルとを接続する端子台と、前記光源ユニットと前記回路ユニットと前記端子台とを収容する筐体とを備え、前記筐体は、前記光源ユニットを収容する防水構造の光源ユニット収容部と、前記回路ユニットを収容する防水構造の回路ユニット収容部と、前記支柱に取り付けられる取付部とを有し、前記端子台は前記回路ユニット収容部に収容されている。
【発明の効果】
【０００７】
本発明に係る照明装置は、端子台が防水構造の回路ユニット収容部に収容されているため、端子台用の水対策が不要となり、簡単な構造となる。
【図面の簡単な説明】
【０００８】
【図１】実施形態に係る照明装置であって支柱に取り付けられた状態の照明装置の斜視図であり、（ａ）は裏側から見た図であり、（ｂ）は表側から見た図である。
【図２】照明装置の断面図である。
【図３】蓋体を開いた状態を裏側から照明装置を見た斜視図である。
【図４】光源側を除いて分解した状態の照明装置を裏側から見た斜視図である。
【図５】光源側を除いて分解した状態の照明装置を表側から見た斜視図である。
【図６】筐体本体の断面を裏側から見た断面斜視図である。
【図７】（ａ）は蓋体と筐体本体とを固定具で固定している部分の拡大断面図であり、（ｂ）は蓋体と筐体本体とを連結している部分の拡大断面図である。
【発明を実施するための形態】
【０００９】
＜概要＞
実施形態の一態様に係る照明装置は、支柱に取り付けられて使用する照明装置において、光源ユニットと、前記光源ユニットを点灯させる回路ユニットと、前記回路ユニットと前記支柱から延出する電気ケーブルとを接続する端子台と、前記光源ユニットと前記回路ユニットと前記端子台とを収容する筐体とを備え、前記筐体は、前記光源ユニットを収容する防水構造の光源ユニット収容部と、前記回路ユニットを収容する防水構造の回路ユニット収容部と、前記支柱に取り付けられる取付部とを有し、前記端子台は前記回路ユニット収容部に収容されている。
実施形態の別態様に係る照明装置において、前記筐体は、板状部と表側に膨出する膨出部とを第１方向に沿って有する筐体本体と、前記膨出部の裏側を開閉可能に覆う蓋体とを備え、前記膨出部と前記蓋体とで形成される空間に、前記回路ユニット収容部と前記取付部とが設けられ、前記空間内は、前記膨出部の裏面から裏側に筒状に延伸する筒部分により、前記回路ユニット収容部と前記取付部とが区画されている。これにより、光源ユニットと回路ユニットとを接続する配線を短くできる。
実施形態の別態様に係る照明装置において、前記筐体は、前記蓋体が前記膨出部を覆うと、前記回路ユニット収容部内を水密状とするパッキンを備える。これにより、容易に防水構造を実施できる。
【００１０】
実施形態の別態様に係る照明装置において、前記筐体本体は、前記第１方向における前記板状部と反対側に前記取付部を有し、前記支柱を固定する固定具が前記取付部に着脱可能に設けられている。これにより、光源ユニットが支柱から張り出した状態となり、光源ユニットからの光が支柱により遮られるのを少なくできる。
実施形態の別態様に係る照明装置において、前記筒部分における前記取付部側に位置する壁部分の貫通孔に、前記電気ケーブルを前記回路ユニット収容部に水密状に導入し且つ当該電気ケーブルを拘束する拘束具が設けられている。これにより、電気ケーブルを拘束具で拘束した状態で、電気ケーブルと端子台との接続作業を行える。
実施形態の別態様に係る照明装置において、前記拘束具がケーブルグランドである。これにより、容易に実施できる。
実施形態の別態様に係る照明装置において、前記蓋体は、前記筐体本体における前記第１方向の略中央に設けられた軸廻りに回転可能に設けられ、前記軸は前記第１方向と直交する方向であって前記板状部に沿う第２方向に延伸する。これにより、電気ケーブルの接続作業領域を確保できる。
【００１１】
＜実施形態＞
【００１２】
１．全体概要
図１〜図３を用いて説明する。
照明装置Ａは、例えば支柱Ｂに取り付けられて使用される。照明装置Ａは道路等の被照射面に張り出して設置される。
照明装置Ａは、光源ユニット１（図２参照）、回路ユニット２及び端子台３を筐体４内に備え、筐体４が支柱Ｂに取り付けられる。光源ユニット１は、図２に示すように、光源として機能する発光素子１１を実装基板１３に備える。なお、光源ユニット１は、例えば両面接合テープ（図示省略）等を介して筐体４に取り付けられている。
【００１３】
回路ユニット２は支柱Ｂから導出される電気ケーブル（図示省略）から受電して光源ユニット１の発光素子１１を発光（点灯）させる。端子台３は電気ケーブルと回路ユニット２とを接続する。
筐体４は、図２に示すように、光源ユニット１を収容する防水構造の光源ユニット収容部４１と、回路ユニット２を収容する防水構造の回路ユニット収容部４３と、支柱Ｂに取り付けられる取付部４５とを有する。
端子台３は回路ユニット収容部４３内に収容されている。取付部４５には支柱Ｂ用の固定具８が設けられている。
【００１４】
２．各部構成
（１）ユニット
光源ユニット１は、図２に示すように、発光素子１１の一例であるＬＥＤと、ＬＥＤを実装するための実装基板１３とを備える。実装基板１３には複数個のＬＥＤを所定の接続形態（直列、並列、直並列等である）で電気接続するための配線パターンが設けられている。なお、実装基板１３は例えば方形状をしている。
回路ユニット２は供給された電力から点灯電力を生成する。回路ユニット２は、複数個の電子部品と、回路基板とを備える。回路ユニット２は、さらに、電子部品と回路基板とを収容する回路ケース２１を備える。なお、図２において電子部品と回路基板とを１ブロックとして表している。なお、複数個の電子部品が回路基板の配線パターンにより接続されることで、例えば、整流回路、平滑回路、昇降圧回路、制御回路等の電気回路が構成される。制御回路は、筐体本体５の膨出部５３に配された照度センサ２３の信号により、光源ユニット１の点灯・消灯を制御する。
端子台３は例えば３芯用が利用されている。端子台３は取り付け用の取付部３ａを有する。一例としての取付部３ａは端子台３の長手方向の両端に形成され且つ長手方向の外方側が開口する溝により構成されている。
なお、端子台３と回路ユニット２とを接続する配線、回路ユニット２と光源ユニット１とを接続する配線の図示は省略している。
【００１５】
（２）固定具
固定具８は、図４及び図５に示すように、円筒部８１と、円筒部８１の筒軸方向の略中央から外方に張り出す鍔部８３と、円筒部８１の外周に設けられ且つ筒軸に沿って延伸する肉厚部８５とを有する。円筒部８１の内周には支柱Ｂが挿入される。
鍔部８３は、外周が矩形状をし、角部分に貫通孔８３ａを有している。固定具８は、鍔部８３が筐体本体５の井桁部分５３５と交差部分５３５ｄとにより支持された状態で、ねじ８９が貫通孔８３ａを挿通して、筐体本体５の交差部分５３５ｄのねじ穴５３５ｅ（図６参照）に螺合する。これにより、固定具８が筐体本体５に固定される。また、筐体本体５の膨出部５３に固定具８が取り付けられることで、取付部４５が構成される。
【００１６】
肉厚部８５には、円筒部８１に挿入された支柱Ｂを固定するためのねじ用のねじ孔８５ａが設けられている。ここでは、ねじ孔８５ａは、円筒部８１の筒軸方向に間隔をおいて２個設けられている。
固定具８は、円筒部８１の裏側端部に筒軸に向かって張り出す張出部８７（図４参照）を有している。これにより、支柱Ｂが円筒部８１を挿通するようなことを抑制できる。つまり、張出部８７は、照明装置Ａが支柱Ｂに沿って落下するのを防止するストッパとして機能する。
【００１７】
３．筐体
図４及び図５を用いて説明する。
筐体４は筐体本体５と蓋体６とを備える。一例として、蓋体６は筐体本体５に対して着脱可能に取り付けられる。筐体４は、蓋体６を筐体本体５に固定するための固定具７１を有している。筐体４は、筐体本体５の板状部５１を覆う透光性カバー７４を有している。なお、透光性カバー７４はカバー固定具７６により板状部５１に固定される。
（１）筐体本体
筐体本体５は、図６に示すように、板状部５１と膨出部５３とを第１方向に有する。板状部５１の表側に光源ユニット収容部４１（図５参照）が、膨出部５３の裏側に回路ユニット収容部４３及び取付部４５がそれぞれ設けられている（図３参照）。筐体本体５は、支柱Ｂから導出される電気ケーブルを拘束するための拘束具９を内部に備える（図４及び図５参照）。
【００１８】
（１−１）板状部
板状部５１は、図６に示すように、表面に光源ユニット１が配される平坦部分５１１と、平坦部分５１１における光源ユニット１の周縁に対応する部位から表側に立設する立設部分５１３とを有する。板状部５１には、透光性カバー７４を固定するためのカバー固定具７６が設けられている（図５参照）。板状部５１には、蓋体６を開閉可能に支持する支持部５２が設けられている。
【００１９】
（１−１−１）平坦部分
平坦部分５１１は、楕円形状（円形状を含む）や三角形等の多角形状をしている。なお、多角形状には、例えば、一部又は全部の角部分が丸くなったような形状や角部分が面取りされたような形状を含む。一例としての平坦部分５１１は、第１方向に長い矩形状をしている。平坦部分５１１には実装基板１３が接触する状態で光源ユニット１が配されている。これにより、点灯中の光源ユニット１からの熱が筐体４側に伝導する。
【００２０】
（１−１−２）立設部分
立設部分５１３は実装基板１３の周縁に沿って立設し、ここでは、方形筒状に立設する。光源ユニット１の実装基板１３の周縁部は立設部分５１３の内周面に近接又は当接する。これにより、光源ユニット１が筐体本体５に位置決めされる。なお、立設部分５１３は、後述の外周側の立設部分５１５と区別するために内側立設部分とする。
【００２１】
平坦部分５１１は、第１方向における膨出側を除く端縁から表側に立設する立設部分５１５を有する。立設部分５１５は、内側立設部分５１３と区別するために、外側立設部分とする。
外側立設部分５１５と内側立設部分５１３の立設量は、外側立設部分５１５の方が多く、内側立設部分５１３に透光性カバー７４が取付けられた状態で略同じになる。なお、平坦部分５１１、内側立設部分５１３及び透光性カバー７４とで囲まれた空間が光源ユニット収容部４１となる。
【００２２】
外側立設部分５１５は内側立設部分５１３に対して外周側に間隔をおいて立設している。外側立設部分５１５と内側立設部分５１３との間であって第１方向における膨出部５３と反対側部分には、平坦部分５１１から表側に延伸して外側立設部分５１５と内側立設部分５１３とを連結する連結部分５１７が設けられている。これにより、点灯中の光源ユニット１から筐体４側に伝導した熱が連結部分５１７から放出される。
外側立設部分５１５と内側立設部分５１３との間であって、第１方向と直交する第２方向側にある部分には、透光性カバー７４を固定するカバー固定具７６が配されている。
【００２３】
（１−１−３）カバー固定具
カバー固定具７６は、図５に示すように、透光性カバー７４の第２方向側の端部と当接するカバー当接部７６１と、外側立設部分５１５の内面と対向する立設対向部７６３と、カバー当接部７６１と立設対向部７６３とを第１方向に間隔をおいて連結する複数のリブ状の連結部７６５と、複数個の連結部７６５の内の３個の連結部７６５に形成され且つ立設方向に延伸するねじ穴を有する柱状部７６７とを有する。立設対向部７６３は、第１方向に間隔をおいて表側が開口する溝を複数個（例えば２個）有している。
【００２４】
カバー固定具７６は、図３に示すねじ７６８が外側立設部分５１５の貫通孔と立設対向部７６３（図５参照）の溝とを挿通し、図３に示すねじ７６９が平坦部分５１１の貫通孔５１１ａ（図６参照）を挿通してカバー固定具７６の柱状部７６７のねじ穴に螺合することで、筐体本体５の板状部５１に固定される。これにより、カバー固定具７６が２種類の固定手段（係合と螺合）に固定されることとなり、カバー固定具７６及び透光性カバー７４の落下を防止できる。
（１−１−４）透光性カバー
透光性カバー７４は、図６に示す内側立設部分５１３の溝５１３ａに配されたパッキン７７（図２参照）を介して内側立設部分５１３に当接する状態で、カバー固定具７６のカバー当接部７６１により支持されることで、筐体本体５に固定される。なお、透光性カバー７４は、透光性樹脂材料から構成され、必要に応じて裏面及び表面の少なくとも一方に拡散処理が施されている。
【００２５】
（１−１−５）支持部
板状部５１は、図６に示すように、裏面であって膨出部５３側の端部から裏側に延伸する延伸部分５１９を有している。筐体本体５を裏側から見ると、延伸部分５１９は、第１方向であって膨出部５３と反対側に凸の円弧状をしている。これにより、筐体本体５と蓋体６との隙間を少なくでき、雨露の膨出部５３側への浸入を抑制できる。
支持部５２は、板状部５１における膨出部５３側の端部に設けられている。支持部５２は、図４に示すように、延伸部分５１９の第２方向の両端部に裏側に突出し且つ第２方向に貫通する貫通孔５２３ａ（図６参照）が形成された凸部分５２３を有する。凸部分５２３は第１方向と平行な板状をしている。貫通孔５２３ａには第２方向に延伸する丸棒５２５が嵌合する。なお、丸棒５２５の中心軸周りに蓋体６が開閉自在に取り付けられる。
【００２６】
（１−２）膨出部
膨出部５３は、表側から見たときに、図４及び図５に示すように、板状部５１と反対側の底辺が板状部５１側の底辺よりも短い台形状をし、膨出先端に近づくほど台形の大きさが小さくなるように膨出する。なお、ここでの台形状には、角部が、丸くなったり、面取りされたり等した形状も含む。これにより、回路ユニット２と端子台３とを収容する空間が確保される。
膨出部５３は、図４及び図６に示すように、裏側に筒状に延伸する筒部分５３１を有する。なお、筒部分５３１には拘束具９が取付けられている。
膨出部５３は、筒部分５３１に対して板状部５１と反対側に、裏側に井桁状に延伸する井桁部分５３５を有する。
膨出部５３は、図６に示すように、第２方向の内側に凹入する凹入部分５３８を両側壁５３ａに有している。凹入部分５３８には、筐体本体５と蓋体６とを固定する固定具７１が設けられている（図４又は図５参照）。
【００２７】
（１−２−１）筒部分
筒部分５３１の横断面形状は、第２方向に長い矩形状をしている。なお、ここでの矩形状には、角部が、丸くなったり、面取りされたりした形状も含む。この筒部分５３１により、膨出部５３の内部が回路ユニット２や端子台３を収容する回路ユニット収容部４３と、照明装置Ａを支柱Ｂに取り付ける取付部４５とが区画される。
図６に示すように、膨出部５３が表側に湾曲しているため、筒部分５３１の周壁の高さは異なるが、筒部分５３１の延伸先端の位置は、平坦部分５１１の裏面を基準にすると、略同じに構成されている。
【００２８】
膨出部５３における筒部分５３１の内側領域には回路ユニット２を固定するための回路固定部分５３２が設けられている。一例としての回路固定部分５３２は、図６に示すように、裏側に延伸する複数個のボス５３２ａと、各ボス５３２ａに設けられたねじ穴５３２ｂとで構成されている。回路ユニット２の回路ケース２１から張り出す取付部２２（図４参照）がボス５３２ａの延伸端面に支持された状態で、図示省略のねじが回路ケース２１の溝２２ａを挿通してねじ穴５３２ｂに螺合する（図６参照）。この場合、回路ユニット２は膨出部５３から離間する状態で膨出部５３に取り付けられる。
【００２９】
膨出部５３における筒部分５３１の内側領域には端子台３を固定するための端子台固定部分５３３が設けられている（図４参照）。一例としての端子台固定部分５３３は、図４に示すように、裏側に延伸する複数個のボス５３３ａと、各ボス５３３ａに設けられたねじ穴５３３ｂとで構成されている。端子台３の表面が複数個のボス５３３ａの延伸端面に支持された状態で、図示省略のねじが端子台３の取付部（溝）３ａを挿通してねじ穴５３３ｂに螺合する。この場合、端子台３は膨出部５３から離間する状態で膨出部５３に取り付けられる。
膨出部５３における筒部分５３１の内側領域に、回路ユニット２と端子台３とを収容しているので、光源ユニット収容部４１には光源ユニット１のみを収容すればよく、光源ユニット収容部４１を薄くできる。これにより意匠性及び耐風性が向上する。
【００３０】
膨出部５３は筒部分５３１を補強する補強部分５３４を有している（図６参照）。一例としての補強部分５３４は、図６に示すように、筒部分に５３１における第１方向と直交する周壁部の外面側と膨出部５３とに跨って形成されたリブ部分により構成される。
膨出部５３は、筒部分５３１における板状部５１と反対側の筒壁（壁部分）に貫通孔５３１ａを有し、当該貫通孔５３１ａに拘束具９が水密状に設けられている（図４参照）。
【００３１】
（１−２−２）拘束具
拘束具９は、貫通孔５３１ａに挿入される本体９１と、筒部分５３１の外側で本体９１を貫通孔５３１ａに固定するための外側固定部９３と、筒部分５３１の内側で本体９１を挿通する電気ケーブル固定する内側固定部９５とを有する。
拘束具９は、所謂、ケーブルグランドである。つまり、本体９１はコネクタ本体であり、外側固定部９３はナットであり、内側固定部９５がキャップである。本体９１内を挿通する電気ケーブルは、キャップが螺合するとコネクタ本体の筒部分が細くなる。これにより、電気ケーブルが水密状に拘束される。
【００３２】
（１−２−３）井桁部分
井桁部分５３５は、第１方向に沿って延伸する第１板部分５３５ａと、第２方向に沿って延伸する第２板部分５３５ｂとを有している。
膨出部５３は、第２方向に隣接する一対の第１板部分５３５ａと、第１方向に隣接する一対の第２板部分５３５ｂとで囲まれている部分に貫通孔５３６を有する。なお、貫通孔５３６は第１方向と第２方向とに直交して延伸する支柱Ｂ用である。膨出部５３は貫通孔５３６の周辺から裏側に筒状に延伸する延伸部分５３６ａを有する。これにより、支柱Ｂと貫通孔５３６との間に存在する水分が膨出部５３内に浸入するのを防止できる。
【００３３】
貫通孔５３６を挟む一対の第２板部分５３５ｂの裏側端は半円状に欠けた欠け部分５３５ｃを有している。また、膨出部５３の後壁５３ｂに半長円状に欠けた欠け部分５３ｃを有している。欠け部分５３５ｃ，５３ｃは第１方向に延伸する支柱（図示省略）用である。
第１方向に延伸する支柱に取り付ける場合の固定具は、図示しないが、固定具８における鍔部８３が円筒部８１の筒軸方向に沿って設けられており（図５参照）、この方形状の鍔部の角部分が井桁部分５３５に固定される（図４参照）。これにより、照明装置Ａは第１方向に延伸する支柱にも取り付け可能となる。
【００３４】
貫通孔５３６を囲む一対の第１板部分５３５ａと一対の第２板部分５３５ｂとが交差する４つの交差部分５３５ｄは円柱状をし、裏側から表側に延伸するねじ穴５３５ｅが設けられている。固定具８は、鍔部８３が筐体本体５の井桁部分５３５と交差部分５３５ｄとにより支持され、鍔部８３の貫通孔８３ａを挿通するねじ８９が筐体本体５のねじ穴５３５ｅに螺合することで、筐体本体５に取り付けられる。これにより、支柱Ｂを取り付ける取付部４５が構成される。
【００３５】
交差部分５３５ｄから第１方向であって貫通孔５３６が存在する側と反対側に延伸する第１板部分５３５ａは、補強部分５３４を構成する。交差部分５３５ｄから第２方向であって貫通孔５３６が存在する側と反対側に延伸する第２板部分５３５ｂは膨出部５３の側壁５３ａや凹入部分５３８にまで延伸する。これにより、膨出部５３が補強される。特に支柱Ｂの周辺、つまり、支柱Ｂを取り付ける取付部４５が補強される。
【００３６】
（１−２−４）凹入部分
膨出部５３は、図６に示すように、第２方向の内側に凹入する凹入部分５３８を両側壁５３ａに有している。図５に示すように、凹入部分５３８の裏側端は裏壁５３９により塞がり、表側端は膨出部の側壁５３ａにつながる。
裏壁５３９には、図７の（ａ）に示すように、溝５３９ａを有し、当該溝５３９ａには装着具７２が嵌合する（図５参照）。装着具７２は固定具７１を装着する機能を有する。装着具７２は、図７の（ａ）に示すように、第１軸部７２１と、第２軸部７２２と、第１軸部７２１と第２軸部７２２とを連結する連結部７２３（図４参照）とを有している。
第１軸部７２１が、図７の（ａ）に示すように、膨出部５３に対して回転可能に溝５３９ａに嵌合している。第１軸部７２１と第２軸部７２２は互いに平行に延伸する。これにより、第２軸部７２２が第１軸部７２１の周りに回転可能となる。
一例である第２軸部７２２は、図４及び図７（ａ）に示すように、同軸（一線分）上に２本あり、連結部７２３は、第１軸部７２１の軸方向の各端部と、２本の第２軸部７２２における外方側の端部とを連結する。つまり、ここでの装着具７２は、「Ｕ」字状であって開口側端部が内側に屈曲するような形状をしている。
【００３７】
（１−２−５）固定具
固定具７１は、図４及び図７の（ａ）に示すように、第２軸部７２２に回転可能に取り付けられている。固定具７１は、凹入部分５３８に嵌る大きさであり、本体部７１１と、本体部７１１の裏側から突出する凸部７１２と、本体部７１１における蓋体６側端部に形成された折返し部７１３とを有する。
本体部７１１は、表裏方向に長く、図４及び図５に示すように、膨出部５３における凹入部分５３８が形成されていない部分の曲率と同じように湾曲している。つまり、本体部７１１は第２方向の外方に膨らむ円弧状をしている。これにより、膨出部５３全体の意匠性を向上させることができる。
【００３８】
凸部７１２は、凹入部分５３８側に突出し、第２軸部７２２の軸方向に沿って延伸している。凸部７１２には第２軸部７２２の軸方向に延伸する貫通孔７１２ａを有し、この貫通孔７１２ａに図７の（ａ）に示すように第２軸部７２２が挿入されている。
これにより、固定具７１は、第２軸部７２２周りと第１軸部７２１周りとに回転可能となり、裏側端の折返し部７１３が蓋体６の凹入部６４の表壁６４aに係合可能となる。
なお、固定具７１は、図４に示すように本体部７１１の裏面に補強用のリブ７１５を有する。また、固定具７１は、図７の（ａ）に示すように、蓋体６の筐体本体５への装着操作を容易にするための欠け部７１６を本体部７１１の表側端部に有する。
【００３９】
（２）蓋体
蓋体６は、図１に示すように、筐体本体５の板状部５１を基準すると、裏側に膨出する形状をしている。蓋体６は筐体本体５の膨出部５３側に着脱可能に設けられている。
蓋体６は膨出部５３の裏側を覆う蓋本体６１を有している。蓋体６は、筐体本体５に対して開閉可能に装着される装着部を有している。蓋体６は、回路ユニット収容部４３の一部を構成する筒部６３を有している。蓋体６は、筐体本体５に固定具７１を介して固定される固定部を有している。
（２−１）蓋本体
蓋本体６１は、側方から装置全体を見ると、膨出部５３とで表裏で対象に近い形状に構成されている。これにより全体の意匠性を向上させることができる。
【００４０】
（２−２）装着部
蓋体６は、図５に示すように、筐体本体５の板状部５１側の端部であって筐体本体５の凸部分５２３（図４参照）に対応する部位に凸部６２を有している。凸部６２は蓋本体６１における第２方向の両端側から表側にブロック状に突出する。
蓋体６は、図５の拡大図に示すように、筐体本体５の凸部分５２３の一部と丸棒５２５と（図４参照）が嵌る凹入部分６２１を凸部６２に有すると共に凸部分５２３用の溝部６２５を蓋本体６１に有する。
蓋体６は、凹入部分６２１に嵌った凸部分５２３の一部と丸棒５２５とが抜けるのを防止する板材７８を固定するための固定部を有する。ここでの固定には、図４及び図５に示すねじ７８１が利用され、固定部は、板材７８の貫通孔７８ａを挿通するねじ７８１が螺合するねじ穴６２３により構成され、ねじ穴６２３は凸部６２に設けられている。なお、板材７８は筐体本体５の凸部分５２３用の溝７８ｂを有している。
これにより、蓋体６が、丸棒５２５の中心軸廻りに回転可能に支持され、膨出部５３の裏側を開閉可能に覆うことができる。
【００４１】
（２−３）筒部
蓋体６は、閉状態において、図５及び図７の（ｂ）に示すように、筐体本体５の筒部分５３１の裏側端に対向するように蓋本体６１から表側に筒状に延伸する筒部６３を有する。
筒部６３の横断面形状は、図５に示すように、第２方向に長い矩形状をしている。なお、ここでの矩形状には、角部が、丸くなったり、面取りされたりした形状も含む。
筒部６３の表側端には、図７の（ｂ）に示すように、全周に亘って溝６３ａが設けられ、当該溝６３ａにパッキン７９が配されている。蓋体６が閉状態では、図７の（ｂ）に示すように、筐体本体５の筒部分５３１の裏側端が溝６３ａ内のパッキン７９に当接する。これにより防水構造が構成される。なお、回路ユニット収容部４３は、膨出部５３における筒部分５３１が形成されている部分と、筐体本体５の筒部分５３１と、蓋体６の筒部６３が形成されている部分と、蓋体６の筒部６３とで構成される。
【００４２】
（２−４）固定部
蓋体６は、図４及び図５に示すように、第２方向の内方に凹入する凹入部６４を蓋本体６１の両側壁６１ａに有している。凹入部６４の表側端は表壁６４ａにより塞がり、図４に示すように、裏側端は蓋本体６１の天壁６１ｂにつながる。表壁６４ａの外側端部は、図７の（ａ）に示すように裏側に屈曲する屈曲部６４ｂとなっている。
閉状態の蓋体６を筐体本体５に固定する場合、固定具７１を装着具７２の第１軸部７２１周りに裏側に持ち上げて、固定具７１の折返し部７１３を蓋体６の表壁６４ａの屈曲部６４ｂに係合させた後、固定具７１を第１軸部７２１周りに回転させて筐体本体５の凹入部分５３８側に移動させることで、行われる。
【００４３】
（２−５）欠け部
蓋体６は、図４及び図５に示すように、第１方向における凸部６２が存在する側と反対側の端部の欠け部６５を有している。欠け部６５は、筐体本体５の後壁５３ｂの欠け部分５３ｃとで、支柱Ｂが挿入される孔を構成する。
照明装置Ａは、図１に示すように第１方向と第２方向とに直交する第３方向に延伸する支柱Ｂに取り付ける場合、蓋体６の欠け部６５と筐体本体５の欠け部分５３ｃは蓋部材６６で塞がれる。蓋部材６６は、図３に示すように、蓋体６に取り外し可能に取り付けられている。ここでは、図示省略のねじが利用され、蓋部材６６はねじ用の貫通孔６６ａ（図４参照）を、蓋体６はねじ穴付きのボス６６ｂ（図５参照）をそれぞれ有する。
【００４４】
４．照明装置の支柱への取り付け
照明装置Ａの取り付けの一例について説明する。なお、取り付けは以下の順番でなくても可能であり、他の方法でも取り付けできる。
（１）蓋体６を開状態にして、支柱Ｂの端部を筐体本体５の貫通孔５３６から固定具８内に挿入させる。この際、円筒部８１の裏側端（支柱Ｂの挿入方向の端部）に張出部８７が存在するため、照明装置Ａが支柱Ｂに沿って落下するのを防止できる。これにより、照明装置Ａを手で支持することなく、後述の取付作業や接続作業が可能となる。
（２）固定具８の肉厚部８５のねじ孔８５ａにねじを螺合させて、支柱Ｂに対して固定具８を位置合わせして固定する。これにより、照明装置Ａが支柱Ｂに対して支柱Ｂの中心軸廻りに回転するのを規制できる。
【００４５】
（３）支柱Ｂから導出する電気ケーブルを、筒部分５３１の貫通孔５３１ａにパッキン及び外側固定部９３により取り付けられている拘束具９の本体９１と、内側固定部９５とを挿通させた後、内側固定部９５を本体９１に螺合させる。このような、電気ケーブルを本体９１と内側固定部９５に挿通させた後に内側固定部９５を螺合させる簡単な作業により、電気ケーブルの固定（拘束）と防水対策とを同時にできる。
（４）電気ケーブルの導電線を端子台３に接続する。この際、電気ケーブルは拘束具９により固定されているため、電気ケーブルが支柱Ｂ側に引っ張られることもなく、接続作業を容易に行うことができる。
（５）最後に、開状態の蓋体６を閉じ、固定具７１を介して蓋体６が開かないように筐体本体５に固定する。これにより、照明装置Ａの支柱Ｂへの取り付けが終了する。
【００４６】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していない例や、要旨を逸脱しない範囲の設計変更があっても本発明に含まれる。
【００４７】
＜変形例＞
１．支柱
実施形態の支柱Ｂは、第３方向に延伸しているが、上述したように第１方向に沿って延伸してもよい。なお、照明装置Ａは、第３方向に延伸する支柱Ｂと、第１方向に延伸する支柱との両方に取り付け可能な構成とされていたが、いずれか一方に取り付け可能な構成としてもよい。
【００４８】
２．光源ユニット
（１）構造等
実施形態の光源ユニット１は、発光素子としてＬＥＤを利用したが、有機ＥＬ素子等の他の発光素子を利用してもよいし、これらを組み合わせて利用してもよい。
実施形態の光源ユニット１は、白色のＬＥＤを備えているが、他の光色のＬＥＤを備えてもよいし、光色の異なる複数種類のＬＥＤを備えてもよい。
実施形態の実装基板１３は方形状をしているが、矩形状、楕円（円を含む）等の他の形状であってもよい。
【００４９】
（２）取り付け
実施形態では、光源ユニット１の筐体本体５への取り付けに両面接合テープを利用しているが、例えば、ねじ等の螺合手段、リベット等の締結手段、係止溝への実装基板の挿入等により取り付けても良いし、透光性カバーの裏面に凸部を設け、透光性カバーが筐体本体に固定された際に凸部が実装基板を支持するようにしてもよい。
実施形態では、実装基板１３が筐体本体５に接触する（熱伝導可能な）状態で取り付けられているが、発光時の熱が発光素子の発光効率に影響しない程度であれば実装基板を筐体本体から離間させた状態で取り付けてもよい。この場合、例えば筐体本体にねじ穴付きボス等を設けて、ねじ穴周辺部で実装基板を支持することで実施できる。
【００５０】
３．回路ユニット
実施形態の回路ユニット２は、電子部品及び回路基板を回路ケース２１内に収容しているが、回路ケースを備えなくてもよい。但し、安全等を考慮すると、回路ケースを備える方がよい。
実施形態の回路ユニット２は、照度センサ２３を利用して点灯・消灯を制御回路が制御しているが、照明装置以外から点灯・消灯の照明信号を受信するようにしてもよい。この場合、複数個の照明装置に対して照明信号を有線又は無線で送信することで、照度センサの個数を削減することができる。
回路ユニット２は、直方箱状の回路ケース２１の長手方向が第２方向となるように筐体本体５に固定されているが、回路ケース２１の長手方向が、第１方向となるように、又は第１方向と交差するように固定されてもよい。
回路ユニット２は回路ユニット収容部４３内に収容されていればよく、例えば、回路ユニットが、蓋体６側に固定されてもよいし、筒部分５３１に固定されてもよい。
回路ユニット２は、膨出部５３（の裏面）から離間する状態で固定されているが、膨出部に接触する状態で固定されてもよい。この場合、水対策として、回路ユニットの設置面をその周辺よりも高くしたり、その周辺に溝を設けたりしてもよい。
【００５１】
４．端子台
実施形態の端子台３は、回路ユニット２に対して第１方向の板状部５１側に配されているが、回路ユニット２と第２方向に並んで配されてもよいし、回路ユニット２に対して第１方向の取付部４５側に配されてもよいし、回路ユニット２の上部又は上方に配されてもよい。さらに、端子台３は回路ユニットに組み込まれてもよい。この場合、端子台は回路ユニットの端子部として機能する。
端子台３は、その長手方向が第２方向となるように筐体本体５に固定されているが、長手方向が、第１方向となるように、又は第１方向と交差するように固定されてもよい。
端子台３は回路ユニット収容部４３内に収容されていればよく、端子台は、例えば、蓋体６側に固定されてもよいし、筒部分５３１に固定されてもよい。
端子台３は、膨出部５３（の裏面）から離間する状態で固定されているが、膨出部に接触する状態で固定されてもよい。この場合、水対策として、端子台の設置面をその周辺よりも高くしたり、その周辺に溝を設けたりしてもよい。端子台３は、３芯用であったが、２芯用であってもよいし、２芯と３芯との両方を使える兼用タイプであってもよい。
【００５２】
５．取付部
実施形態の取付部は、筐体本体５と別体の固定具８が井桁部分５３５に固定されることで構成されているが、例えば、固定具が筐体本体と一体化されていてもよい。
【００５３】
６．蓋体
実施形態の蓋体６は、筐体本体５における第１方向の略中央に回転可能に設けられているが、例えば、第１方向の板状部５１と反対側の端部に回転可能に設けられてもよい。但し、第１方向の略中央の方が、電気ケーブルの端子台への接続等の作業空間を確保しやすい。
実施形態の蓋体６は、第２方向と平行な軸周りに回転可能に設けられているが、例えば、第１方向と平行な軸周りに回転可能に設けてもよい。この場合、膨出部の第２方向の端部に回転軸が設けられることとなる。
実施形態の蓋体６は１個設けられているが、２個以上であってもよい。但し、作業効率を考慮すると、蓋体６は１個の方が好ましい。
【００５４】
７．透光性カバー
実施形態の透光性カバー７４は、平板状をしていたが、例えば、表側に膨出したり、裏側に凹入したりするレンズを発光素子に対応して複数個有してもよい。
実施形態の透光性カバー７４は、カバー固定具７６を利用して筐体本体５に固定されているが、例えば、ねじ等の螺合手段、リベット等の締結手段、係止片等の係合手段、接着剤等を利用してもよい。
実施形態の透光性カバー７４は、光源ユニット１から離間する状態で筐体本体５に固定されているが、例えば、発光素子に対応する部分に表側に膨出するレンズを設け、透光性カバーが実装基板に接触するようにしてもよい。この場合、発光素子とレンズとの間に、発光素子からの出射光を屈折させるためのゲル剤を配してもよい。
【符号の説明】
【００５５】
Ａ    照明装置
Ｂ    支柱
１    光源ユニット
２    回路ユニット
３    端子台
４    筐体
５    筐体本体
６    蓋体
７    取付部
【図１】
2019125508.tif 000003
【図２】
2019125508.tif 000004
【図３】
2019125508.tif 000005
【図４】
2019125508.tif 000006
【図５】
2019125508.tif 000007
【図６】
2019125508.tif 000008
【図７】
2019125508.tif 000009